(57)【要約】      （修正有）【課題】製造も容易で、扱い易く頑丈なＢ式の段ボール箱を提供する。【解決手段】矩形枠状の周面部の一端を塞いで開口と対向する底面部と、一対のフラップと、蓋部と、隙間に差し込まれる差込部とを備える。段ボールを矩形形状に裁断して形成され、４カ所の折曲部を有する３つのパーツ１０，２０，３０で構成されている。第１パーツ１０を折り曲げて両端部を貼り付ることにより、周面部の１層が構成され、第１パーツ１０に第２及び第３のパーツ２０，３０を交差して組み付けることにより、周面部の１層、底面部の２層、一対のフラップ及び蓋部が構成されて、全６面が段ボールの２重構造になる。【選択図】図１０
0003184942.tif 000002
【実用新案登録請求の範囲】
【請求項１】
蓋を差し込んで開口を閉じることができる直方体形状をした段ボール箱であって、
矩形枠状の周面部と、
前記周面部の一端を塞ぎ、前記開口と対向する底面部と、
前記開口を観音開き状に揺動開閉する一対のフラップと、
前記一対のフラップと直交して前記開口を揺動開閉する蓋部と、
前記蓋部の先端に設けられ、閉じた前記一対のフラップと前記周面部との間の隙間に差し込まれる差込部と、
を備え、
各々が段ボールを矩形形状に裁断して形成されるとともに、同一面側に折り曲げられる４カ所の折曲部を有する、３つのパーツで構成され、
第１のパーツの前記折曲部を折り曲げて両端部を貼り付ることにより、前記周面部の１層が構成され、当該第１のパーツに第２及び第３のパーツを交差して組み付けることにより、前記周面部の１層、前記底面部の２層、前記一対のフラップ及び前記蓋部が構成されて、全６面が段ボールの２重構造になる段ボール箱。
【請求項２】
請求項１に記載の段ボール箱において、
前記第２及び第３のパーツの各々は、前記折曲部を介して互いに直列に連なる５つの面部からなり、
前記第２のパーツは、
前記差込片を構成する第１面部と、
前記第１面部に連なって前記蓋部を構成する第２面部と、
前記第２面部に連なり、前記周面部における一対の対向面の一方の外層を構成する第３面部と、
前記第３面部に連なって前記底面部の外層を構成する第４面部と、
前記第４面部に連なり、前記差込片と突き合わされることによって当該差込片とともに前記一対の対向面の他方の内層を構成する第５面部と、
を有し、
前記第３パーツは、
前記底面部の内層を構成する第６面部と、
前記第６面部の両端の各々に連なり、各々が前記周面部の内層を構成する一対の第７面部と、
前記一対の第７面部の各々の両端に連なって、前記一対のフラップを構成する一対の第８面部と、
を有している段ボール箱。
【請求項３】
請求項１又は請求項２に記載の段ボール箱において、
各面の内層と外層とで、フルートの延びる方向が直交している段ボール箱。
【考案の詳細な説明】
【技術分野】
【０００１】
本考案は、外装や梱包など、包装に用いられる段ボール箱に関し、その中でも特に、３つのパーツで構成されている直方体形状をした段ボール箱に関する。
【背景技術】
【０００２】
段ボール箱は、その組み立て方式の違いによって様々なタイプが存在する。その中の１つに、段ボール箱の開口の一辺に、先端に差込片のある蓋が設けられていて、この差込片を開口に差し込むことによって開口を蓋するタイプがある（本開示では、このタイプをＢ式と称する）。
【０００３】
このようなＢ式の段ボール箱は、１枚の段ボールを箱形状に組み立てた後、複数箇所をステッチで留めたり接着したりして形成されているのが一般的である。ステッチや接着材を用いずに、底面を折り込んで箱形状に形成するタイプもある。
【０００４】
これらのタイプの段ボール箱では、箱形状に組み立て可能な凸凹の展開形状をした段ボール（板紙）が必要である。これら段ボールは、通常、抜き型（トムソン型）を用いて、矩形の大きな段ボールから型抜きすることによって形成されている。
【０００５】
本考案に関する先行技術としては、特許文献１〜３がある。
【０００６】
特許文献１には、３つのパーツで構成されたパンタグラフ型胴部カートンが開示されている。ただし、その素材には段ボールではなく合紙が用いられている。
【０００７】
特許文献２にも、３つのパーツで構成され、宝石等の装飾品などを収容する組立箱が開示されている。この組立箱もまた、段ボールではなく、各面の大きさに裁断した厚紙を屈曲性に富む覆紙で接続したパーツで構成されている。
【０００８】
特許文献３には、３つのパーツで構成された段ボール箱が開示されている。そこでの段ボール箱は、段ボール板が内外で２重となるように構成されており、強度を向上させるため、波形状（フルート）をした中芯の延びる方向を、内側及び外側の各段ボール板で直交するように配置している。
【０００９】
ただし、特許文献３の段ボール箱はＢ式ではなく、みかん箱様のいわゆるＡ式であり、フラップを重ねて蓋をした後にバンドを締結して梱包される。
【先行技術文献】
【特許文献】
【００１０】
【特許文献１】特開平７−２４２２２９号公報
【特許文献２】特開２０００−２５７４２号公報
【特許文献３】特開平９−１２０２１号公報
【考案の概要】
【考案が解決しようとする課題】
【００１１】
従来のＢ式のダンボール箱のように、型抜きによって段ボールを所定の展開形状に加工する方法では、段ボール箱のサイズや形状に合った抜き型が必要である。そのため、サイズ等の変更の度に、新たに抜き型を作製しなければならない。従って、抜き型のコストがかかるうえ、抜き型が増えれば保管場所を確保する必要も生じる。
【００１２】
しかも、型抜き後には、パーツとパーツの間に残る枠状の段ボール屑が多量に発生する。従って、段ボールの一部が無駄になるため、段ボールの利用効率の面で改善の余地があるし、発生した段ボール屑を廃棄処理する必要もある。
【００１３】
更に、複数箇所をステッチで留めたり接着したりすることは、それだけ加工工数が増えるため、作業性に欠けるし、リサイクルの面でも不利になる。
【００１４】
そこで、本考案の目的は、型抜きが不要で、段ボールを無駄なく利用でき、最小限の加工工数で簡単に形成できる、Ｂ式の段ボール箱を提供することにある。
【課題を解決するための手段】
【００１５】
開示する段ボール箱は、蓋を差し込んで開口を閉じることができる直方体形状をした段ボール箱である。矩形枠状の周面部と、前記周面部の一端を塞ぎ、前記開口と対向する底面部と、前記開口を観音開き状に揺動開閉する一対のフラップと、前記一対のフラップと直交して前記開口を揺動開閉する蓋部と、前記蓋部の先端に設けられ、閉じた前記一対のフラップと前記周面部との間の隙間に差し込まれる差込部と、を備える。
【００１６】
各々が段ボールを矩形形状に裁断して形成されるとともに、同一面側に折り曲げられる４カ所の折曲部を有する、３つのパーツで構成されている。
【００１７】
第１のパーツの前記折曲部を折り曲げて両端部を貼り付ることにより、前記周面部の１層が構成され、当該第１のパーツに第２及び第３のパーツを交差して組み付けることにより、前記周面部の１層、前記底面部の２層、前記一対のフラップ及び前記蓋部が構成されて、全６面が段ボールの２重構造になるように構成されている。
【００１８】
従って、この段ボール箱によれば、使用する３つのパーツが、いずれも段ボールを矩形形状に裁断して形成されるため、型抜きが不要であり、段ボール屑もほとんど発生しない。第１のパーツの１カ所を貼り付ければ、後は組み付けるだけで形成できるため、簡単に製造できるし扱い易い。しかも、全６面が段ボールの２重構造になるため、頑丈である。
【考案の効果】
【００１９】
本考案によれば、製造も容易で、扱い易く頑丈なＢ式の段ボール箱を提供することができる。
【図面の簡単な説明】
【００２０】
【図１】本実施形態の段ボール箱を示す概略斜視図である。
【図２】製造に用いられる段ボールを示す概略斜視図である。
【図３】（ａ）〜（ｃ）は、段ボール箱を構成する各パーツの概略図である。
【図４】〜
【図１０】段ボール箱の組み立て方を示す概略斜視図である。
【図１１】閉じた状態の段ボール箱を示す概略斜視図である。
【図１２】図１１におけるＡ−Ａ線での概略断面図である。
【図１３】図１１におけるＢ−Ｂ線での概略断面図である。
【図１４】、
【図１５】段ボール箱の変形例を示す概略断面図である。
【考案を実施するための形態】
【００２１】
以下、本考案の実施形態を図面に基づいて詳細に説明する。ただし、以下の説明は、本質的に例示に過ぎず、本考案、その適用物あるいはその用途を制限するものではない。また、特に言及しない限り、前後左右等の方向は、図示の矢印に従うものとする。
【００２２】
＜段ボール箱の全体構造＞
図１に、本考案を適用した段ボール箱１を示す。この段ボール箱１は、開閉できる蓋を備えた、いわゆるＢ式であり、開口７に蓋を差し込むことにより、前後左右及び上下の６面が段ボールで塞がれた直方体形状の包装形態にすることができる。
【００２３】
具体的には、この段ボール箱１は、周面部２や底面部３、一対のフラップ４，４、蓋部５、差込部６などからなる。この段ボール箱１では、一カ所だけ糊付けを行って（糊付け仕様）、後述する３つのパーツを組み合わせることにより、全６面が、内外２層の段ボールの２重構造となるように構成されている。
【００２４】
周面部２は、段ボール箱１の側面を塞ぐ矩形枠状の部分である。周面部２は、段ボール箱１の前後を塞ぐ一対の矩形の側面部２ａ，２ａと、段ボール箱１の左右を塞ぐ一対の矩形の端面部２ｂ，２ｂとを有している。底面部３は、段ボール箱１の底面を塞ぐ矩形の部分であり、各側面部２ａ及び各端面部２ｂと直交し、その四辺がこれらの下端縁に連なっている。この底面部３と上下に対向して矩形の開口７が空いている。
【００２５】
各フラップ４は、各端面部２ｂの上端縁に折り曲げ可能に連なる矩形の部材であり、開口７を左右から観音開き状に揺動開閉する。両フラップ４，４は、閉じたときに、両フラップ４，４の先端が僅かな隙間を隔てて対向するように寸法設計されている。
【００２６】
蓋部５は、底面部３と略同寸法の部材であり、両フラップ４，４と直交して後から開口７を揺動開閉する。蓋部５は、後方の側面部２ａの上端縁に折り曲げ可能に連なっている。なお、後述するように、この段ボール箱１の側面部２ａは、分離可能な段ボールで内外２層に構成されていて、蓋部５は側面部２ａの外層に連なっている。そのため、蓋を開けた状態では、蓋部５は側面部２ａの外層とともに後方に倒れた状態になる。
【００２７】
差込部６は、蓋部５の先端に連なる短寸矩形の部分である。蓋部５で開口７を閉じる際に、差込部６が、閉じた両フラップ４，４と前方の側面部２ａとの間の隙間に差し込まれることにより、蓋部５は閉じた状態に保持される。
【００２８】
＜段ボール箱を構成するパーツ＞
この段ボール箱１は、図２に示すような、加工素材として流通している大きな矩形の段ボール（板紙）８から製造される。段ボール８は、断面波形のフルートを有する中芯８ａの両面に、一対の板紙（ライナ）８ｂ，８ｂを貼り付けて形成されている。従って、段ボール８は、フルートが延びる方向（白抜き矢印が示す方向）の強度及び剛性が相対的に強い構造となっている。
【００２９】
この段ボール箱１は、その段ボール８の特徴を活かして構造的に強度及び剛性が向上するように、３つのパーツ１０，２０，３０を組み合わせることによって構成されている。
【００３０】
図３に、各パーツ１０，２０，３０を示す。（ａ）は第１パーツ１０であり、（ｂ）は第２パーツ２０であり、（ｃ）は第３パーツ３０である。いずれも、段ボール８を裁断して、所定寸法の細長い矩形形状に形成されている。
【００３１】
いずれのパーツ１０，２０，３０も矩形形状であるため、抜き型は不要である。パーツ間に隙間を設けずに段ボール８から裁断できるため、段ボール屑はほとんど発生しない。
【００３２】
第１〜第３のパーツ１０，２０，３０の各々は、その長手方向がフルートが延びる方向と一致するように、向きを合わせて裁断されている。これらパーツ１０，２０，３０の４カ所には、線状の折曲部９が形成されている。各折曲部９は、所定間隔で互いに平行に形成されており、フルートが延びる方向と直交している。各折曲部９は、いずれも同一面側に折り曲げられるように、厚み方向に線状に押し潰して形成されている。
【００３３】
それにより、第１〜第３のパーツ１０，２０，３０の各々には、折曲部９を介して互いに直列に連なる５つの面部が形成されている。
【００３４】
第１パーツ１０は、周面部２を構成する。第１パーツ１０は、側面部２ａの内層及び外層を構成する２つの半側面部１１と、各々が端面部２ｂの外層を構成する２つの半端面部１２と、貼付面部１３の５つの面部からなり、貼付面部１３、半側面部１１、半端面部１２、半側面部１１、半端面部１２の順に連なっている。
【００３５】
図４に示すように、第１パーツ１０は、組み立てる前に、貼り付け処理が行われる。すなわち、４カ所の折曲部９を折り曲げて、貼付面部１３を他端側の半端面部１２の端（ドットで示す部分）に貼り付ける。そうすることにより、第１パーツ１０は、図５に示すような矩形枠状になる。
【００３６】
貼り付けた第１パーツ１０は、組み付けが行われるまで折り畳んで保管される。なお、この段ボール箱１では、貼り付けなどの時間と手間のかかる加工作業はこれのみである。ステッチで留める必要もない。
【００３７】
第２パーツ２０は、差込部６、蓋部５、底面部３、側面部２ａを構成する。第２パーツ２０は、番号順に連なる第１〜第５の面部２１〜２５からなる。
【００３８】
第１面部２１は差込部６を構成する部分であり、第２面部２２は蓋部５を構成する部分である。第３面部２３は、側面部２ａの外層を構成する部分であり、第４面部２４は底面部３の外層を構成する部分である。第５面部２５は、蓋部５を閉じた際に、差込部６と突き合わされ、それによって差込部６とともに側面部２ａの内層を構成する。
【００３９】
第３パーツ３０は、底面部３、端面部２ｂ、一対のフラップ４，４を構成する。第３パーツ３０は、第６〜第８の面部３１〜３３からなる。第７面部３２及び第８面部３３は、各々２つある。
【００４０】
第６面部３１は、底面部３の内層を構成する部分であり、第７面部３２は、端面部２ｂの内層を構成する部分である。各第７面部３２は、第６面部３１の両端の各々に連なっている。各第８面部３３は、フラップ４を構成する部分であり、第７面部３２の各々の両端に連なっている。
【００４１】
各パーツ１０，２０，３０の主な寸法を図３に示す。第１パーツ１０は、図１に示す段ボール箱１の外法（Ｌ，Ｗ，Ｈ）に合わせて寸法設計されている。第２及び第３のパーツ２０，３０では、組み付け時の寸法調整のために微調整されている（α1〜α5は調整代を表している）。例えば、第２パーツ２０は、矩形枠状にした第１パーツ１０に嵌め入れられるため、その幅寸法（Ｌ−α1）は、Ｌよりも小さく設計されている。
【００４２】
＜段ボール箱の組み立て＞
この段ボール箱１は、貼り付け等を行うことなく、これら３つのパーツ１０，２０，３０を組み付けるだけで、簡単に形成することができる。
【００４３】
図６に示すように、まず、第２パーツ２０の第５面部２５を立ち上げるように折り曲げる。
【００４４】
そうして、図７に示すように、矩形枠状にした第１パーツ１０の内部に、第５面部２５を差し込んで一方の半側面部１１の内面に密着させ、図８に示す状態にする。
【００４５】
このとき、仮想線で示すように、第２パーツ２０を折り曲げると、第４面部２４と第３面部２３との間の折曲部９は、半側面部１１の下側の稜の直ぐ後側に位置し、第３面部２３と第２面部２２との間の折曲部９は、半側面部１１の上側の稜の直ぐ上側に位置するように寸法設計されている。それにより、第３面部２３は、容易に折り曲げて他方の半側面部１１の外面に密着させることができ、第２面部２２も容易に折り曲げて蓋することができる。
【００４６】
次に、図９に示すように、第３パーツ３０の両第７面部３２，３２を立ち上げるように折り曲げる。
【００４７】
そうして、図１０に示すように、第２パーツ２０を組み付けた第１パーツ１０の内部に、第２パーツ２０と交差するように第３パーツ３０を嵌め入れる。そうするだけで、図１に示した状態となり、段ボール箱１が形成される。
【００４８】
後は、収容物を入れた後、両フラップ４，４を閉じ、差込部６を差し込んで蓋を閉じればよい。そうすれば、図１１に示すように、段ボール箱１を密閉することができる。
【００４９】
＜段ボール箱の断面構造＞
図１２及び図１３に、段ボール箱１の断面構造を示す。この段ボール箱１では、３つのパーツ１０，２０，３０の組み合わせにより、全面が段ボールの２重構造となっている。
【００５０】
しかも、各面の内層と外層とで、フルートの延びる方向が直交するように構成されている。これら図では、フルートに沿った断面を斜線で示し、フルートに直交した断面を波線で示している。
【００５１】
なお、段ボール箱１の上面は、両フラップ４，４と蓋部５とが内外に重なることによって段ボールの２重構造が構成されており、段ボール箱１の前面は、互いに突き合わされる第１面部２１（差込部６）及び第５面部２５と、半側面部１１とが内外に重なることによって段ボールの２重構造が構成されている。
【００５２】
従って、この段ボール箱１では、各面が段ボールの２重構造となっているため、１重の段ボールと比べて断面構造が緻密になり、構造的に強度及び剛性が向上する。しかも、各面の内外でフルートの延びる方向が直交しているため、縦横での強度及び剛性の差がほとんど無くなって、よりいっそう強度及び剛性が向上する。
【００５３】
＜その他＞
なお、本考案にかかる段ボール箱は、上述した実施形態に限定されず、それ以外の種々の構成をも包含する。
【００５４】
例えば、図１４に示すように、第３パーツ３０を改良し、仕切り４０が形成されるようにしてもよい。具体的には、第３パーツ３０の各第８面部３３の両端に、折曲部９を介して連なる一対の第９面部４１，４１を設け、密閉した時に、これら第９面部４１，４１が互いに密着して仕切り４０が構成されるようにすればよい。
【００５５】
また、底が浅い段ボール箱の場合には、図１５に示すように、第２パーツ２０の第１面部２１（差込部６）を延ばして、密閉した時に、その先端が底面部３に突き当たるようにするとよい。そうすれば、よりいっそう強度及び剛性を向上させることができる。
【００５６】
その他、各パーツ１０，２０，３０のフルートが延びる方向は折曲部９と平行であってもよい。各パーツ１０，２０，３０の段ボールの種類（厚みや中芯の形状等）は同じでも別であってもよい。差込部６を差し込み易くするために角を切り取ったり、差込部６を摘まみ出すための切り欠きを設けたりするなど、各パーツ１０，２０，３０の細部の形状は、仕様に応じて適宜変更できる。
【符号の説明】
【００５７】
１  段ボール箱
２  周面部
３  底面部
４  フラップ
５  蓋部
６  差込部
７  開口
９  折曲部
１０  第１パーツ
２０  第２パーツ
２１〜２５  第１〜５面部
３０  第３パーツ
３１〜３３  第６〜８面部
【図１】
0003184942.tif 000003
【図２】
0003184942.tif 000004
【図３】
0003184942.tif 000005
【図４】
0003184942.tif 000006
【図５】
0003184942.tif 000007
【図６】
0003184942.tif 000008
【図７】
0003184942.tif 000009
【図８】
0003184942.tif 000010
【図９】
0003184942.tif 000011
【図１０】
0003184942.tif 000012
【図１１】
0003184942.tif 000013
【図１２】
0003184942.tif 000014
【図１３】
0003184942.tif 000015
【図１４】
0003184942.tif 000016
【図１５】
0003184942.tif 000017
【手続補正書】
【提出日】平成25年5月30日(2013.5.30)
【手続補正１】
【補正対象書類名】明細書
【補正対象項目名】００２０
【補正方法】変更
【補正の内容】
【００２０】
【図１】本実施形態の段ボール箱を示す概略斜視図である。
【図２】製造に用いられる段ボールを示す概略斜視図である。
【図３】（ａ）〜（ｃ）は、段ボール箱を構成する各パーツの概略図である。
【図４】段ボール箱の組み立て方を示す概略斜視図である。
【図５】段ボール箱の組み立て方を示す概略斜視図である。
【図６】段ボール箱の組み立て方を示す概略斜視図である。
【図７】段ボール箱の組み立て方を示す概略斜視図である。
【図８】段ボール箱の組み立て方を示す概略斜視図である。
【図９】段ボール箱の組み立て方を示す概略斜視図である。
【図１０】段ボール箱の組み立て方を示す概略斜視図である。
【図１１】閉じた状態の段ボール箱を示す概略斜視図である。
【図１２】図１１におけるＡ−Ａ線での概略断面図である。
【図１３】図１１におけるＢ−Ｂ線での概略断面図である。
【図１４】段ボール箱の変形例を示す概略断面図である。
【図１５】段ボール箱の変形例を示す概略断面図である。